(57)【要約】【課題】使用ユーザの撮影技量によって、撮影時の手ブレ量が変わり、プリント時に、どのユーザも同じサイズのプリントしてしまうと、手ブレの有るプリント出力をしてしまう為、使用ユーザの撮影技量に応じて、最適プリントサイズを表示しアドバイスする。【解決手段】カメラにおいて、本体の手ブレ量及び手ぶれパターンを検出する検出手段と検出された手ぶれパターンより使用ユーザを判別する判別手段と撮影画像及び各種情報を行う表示部を有し、使用ユーザ判別手段から判別された、使用ユーザに応じて、撮影した画像の最適プリントサイズを表示する。【選択図】        図４
2006319611.tif 000002
【特許請求の範囲】
【請求項１】
撮像した静止画像及び或いは動画像を記録媒体に記録及び再生表示するカメラにおいて、撮像手段と、記録手段と、制御手段と、操作手段と、表示手段とカメラ本体の手ブレ量を検出する手段と、前記記憶手段に記憶された累積撮影枚数と前記手ブレ検出手段より得られた手ブレ量よりユーザの評価を行うユーザ評価手段と前記手ブレ検出手段より得られた、手ブレパターンより使用ユーザ判別を行うユーザ判別手段を有し、前記評価手段より得られた、評価結果に基づき、前記ユーザ判別手段より判別された、ユーザに応じて、プリント時のプリントサイズの前記表示手段に表示を行うことを特徴とするカメラ。
【請求項２】
請求項１記載のカメラにおいて、前記ユーザ判別手段のユーザ判別と前記ユーザ評価手段のユーザ評価を、撮影時のＳＷ１ないしＳＷ２の動作中に前記手ブレ手段から得られた手ブレパターンを基に行うことを特徴とする請求項１記載のカメラ。
【請求項３】
請求項１記載のカメラにおいて、前記ユーザ評価手段のユーザ評価を前記憶手段に記憶されている撮影枚数のｎ回の平均と前記撮影枚数ｎ回分の前記手ブレ検出手段より得られた手ブレ量の平均値より評価を行うことを特徴とする請求項１記載のカメラ。
【請求項４】
請求項１記載のカメラにおいて、前記ユーザ判別手段から判別されたユーザと前記ユーザ評価手段より得られたユーザ評価値に応じて、記録画像サイズを変更することを特徴とする請求項１記載のカメラ。
【請求項５】
請求項１記載のカメラにおいて、前記記憶手段に記憶された、ユーザ評価値と撮影時に取得した評価値の比較を行い、撮影時の評価値の方が良ければ、プリント時のプリントサイズを変更する学習機能を備えたことを特徴とする請求項１記載のカメラ。
【請求項６】
請求項１記載のカメラにおいて、前記ユーザ判別手段から判別されたユーザ情報を基に、記録メディアに書き込む際、ユーザごとにフォルダを分けて書き込むことを特徴とする請求項１記載のカメラ。
【発明の詳細な説明】
【技術分野】
【０００１】
本発明は、カメラに関し、特に、撮影者の撮影状態評価に応じて、プリントサイズのアドバイス情報を生成する学習機能付きプリントサイズアドバイスカメラに関する。
【背景技術】
【０００２】
従来、加速度センサ等を用いてカメラの手ぶれを検出し、その手ぶれ量がある所定の許容範囲を超えた場合は、撮影者に手ぶれ写真になってしまうことを警告する手ぶれ検出機能を有するカメラが提案されている。しかし、撮影時の手ぶれの許容範囲は撮影した画像をプリントする際のプリントサイズによって異なる。このため、従来のように許容範囲が固定されていると、撮影後のプリントサイズによっては、手ぶれ警告が出なかったにもかかわらず手ぶれ画像ができたり、逆に、手ぶれのない画像ができあがったにもかかわらず撮影時に手ぶれ警告が出たりする不都合が生じる。そこで、撮影後のプリントサイズに応じて撮影者に手ぶれ警告を促す提案がなされている（例えば、特許文献１参照）。
【特許文献１】特開平０５−１４２６３８号公報
【発明の開示】
【発明が解決しようとする課題】
【０００３】
しかしながら、上記従来の技術例では、撮影毎にプリントサイズの設定を行わなければ、撮影者の技量によって撮影のたびに警告がでてしまう。また、カメラ本体に学習していくような機能がない為、使用者へのアドバイス等による撮影技術の向上を望めなかった。さらに、手ブレが多いユーザが使用している場合でも、画像サイズを変更しない為、メモリサイズに無駄があった。
【０００４】
本発明は、上述したような問題点を解消するために構成されたもので、カメラ本体に使用ユーザ認識機能を持ち、ユーザの撮影技術に応じて、カメラ本体が学習し、使用ユーザによって、最適なプリントサイズをアドバイスを行うカメラを提供することにある。
【課題を解決するための手段】
【０００５】
本発明のカメラは、撮像した静止画像及び或いは動画像を記録媒体に記録及び再生表示するカメラにおいて、撮像手段と、記録手段と、制御手段と、操作手段と、表示手段とカメラ本体の手ブレ量を検出する手段を有し、前記手ブレ検出手段より得られた、手ブレパターンよりユーザ判別を行い、判別されたユーザに応じた、プリント時のプリントサイズの表示を行うことを特徴としている。
【０００６】
また、本発明の他の特徴とするところは、前記手ブレ検出手段より得られた、手ブレパターン検出をＳＷ１ないしＳＷ２の動作中に検出することを特徴としている。
【０００７】
また、本発明のその他の特徴とするところは、請求項１記載のカメラにおいて、前記手ブレ検出手段より得られた、手ブレ量より使用ユーザの評価を行い評価値に応じた、プリントサイズプリント時のプリントサイズの表示を行うことを特徴としている。
【０００８】
また、本発明のその他の特徴とするところは、請求項１記載のカメラにおいて、前記手ブレ手段より使用ユーザ判別された、ユーザの評価値に応じて、記録サイズを変更することを特徴としている。
【０００９】
また、本発明のその他の特徴とするところは、請求項３記載のカメラにおいて、前記手ブレ検出手段より得られた、手ブレ量検出をＳＷ１ないしＳＷ２の動作中に検出することを特徴としている。
【００１０】
また、本発明のその他の特徴とするところは、請求項３記載のカメラにおいて、前記記憶手段に記憶された、ユーザ評価値と撮影時に取得した評価値を比較を行い、撮影時の評価値の方が良ければ、プリント時のプリントサイズを学習する学習機能を備えたことを特徴としている。
【００１１】
以上、本発明についてその詳細を説明したが、更に説明すれば下記の構成によって前記課題を解決できた。
【００１２】
（１）撮像した静止画像及び或いは動画像を記録媒体に記録及び再生表示するカメラにおいて、撮像手段と、記録手段と、制御手段と、操作手段と、表示手段とカメラ本体の手ブレ量を検出する手段と、前記記憶手段に記憶された累積撮影枚数と前記手ブレ検出手段より得られた手ブレ量よりユーザの評価を行うユーザ評価手段と前記手ブレ検出手段より得られた、手ブレパターンより使用ユーザ判別を行うユーザ判別手段を有し、前記評価手段より得られた、評価結果に基づき、前記ユーザ判別手段より判別された、ユーザに応じて、プリント時のプリントサイズの前記表示手段に表示を行うことを特徴とするカメラ。
【発明の効果】
【００１３】
本発明によれば、使用ユーザの撮影技量に応じて、プリント時のプリントサイズをアドバイス表示することで、プリント時に、手ブレの無い画像をプリント出力することができる。
【００１４】
また、カメラに学習機能を設けることで、カメラと共にユーザの撮影技量の成長を促せる。
【００１５】
さらに、使用ユーザの撮影技量に応じて、記録する、画像サイズを変更できるので、メモリの無駄が省ける。
【発明を実施するための最良の形態】
【００１６】
以下本発明を実施するための最良の形態を、実施例により詳しく説明する。
【実施例】
【００１７】
図１に、本実施例の学習機能付きプリントサイズアドバイスカメラの概要構成図を示す。
【００１８】
図１において、１は、学習機能付きプリントサイズアドバイスカメラ本体、２は、撮影モード・再生モードを切り替えて本体電源を入り切りする本体電源スイッチを兼用するモードＳＷである。３は、レリーズスイッチ、４は、シャッター速度や絞り数値撮影枚数及び、メニュー等を表示する表示パネル、５は、メニューに入る為のメニューＫＥＹである。６は、メニューを操作する十字操作ＫＥＹである。
【００１９】
図２は、図１に示す学習機能付きプリントサイズアドバイスカメラの制御部の構成を示すブロック図である。
【００２０】
図中、１１０は、学習機能付きプリントサイズアドバイスカメラ１を動作させる為、カメラ本体に電圧供給する電源供給部、１２０は、カメラ全体を制御するためのＣＰＵ、１３０は、画像を撮像する為のＣＣＤを含む撮像部、１４０は、撮像した画像を処理する画像処理部、１５０は、画像データを記憶する記憶部、１６０は、カメラ本体の状態を外部に知らせる為の表示部、１７０は、撮影時のカメラ本体のブレを検出する手ブレ検出部、１８０は、装置への操作を行う操作部である。
【００２１】
なお、図１には示されていないが、ＣＰＵ１２０には、前記図１におけるカメラの撮影及び再生に必要な諸々の回路等がさらに接続されており、ＣＰＵ１２０は、不図示のＦＬＡＳＨ＿ＲＯＭに格納された所定のプログラムに従って動作制御する。
【００２２】
図３は、図１に示す学習機能付きプリントサイズアドバイスカメラの手ブレ量と手ブレパターン検出を兼ねた手ブレ検出部の構成を示すブロック図である。
【００２３】
図中、１７００は、手ぶれによるカメラ本体のブレを検出する角速度センサである。なお、本実施の形態では、角速度センサを用いているが、加速度センサ等の他のセンサを用いても良い。１７０１は、加速度センサ１７００より得られた、手ぶれによるカメラ本体のブレ信号以外の不要成分を除く為のフィルタ回路である。１７０２は、角速度センサ出力が微小である為、微小ブレ信号を所定のレベルまで増幅するアンプ回路、１７０３は、アンプ回路１７０２で所定の値に増幅された、手ぶれによるカメラ本体のブレ信号をデジタルデータに変換するＡ／Ｄコンバータであり、デジタル化された、手ぶれによるカメラ本体のブレ信号を基に、ＣＰＵ１２０は、ユーザ判別等の処理を行う。
【００２４】
以上の構成を有する学習機能付きプリントサイズアドバイスカメラにおける動作について図４に示すフローチャートを参考に説明する。
【００２５】
ステップＳ１において、撮影動作に入り、レリーズスイッチ３のＳＷ１・ＳＷ２にて撮影動作を行う。撮影動作中に、後述する、ユーザ判別に用いる手ブレによるカメラ本体のブレパターン及びユーザ評価のブレ量を取得する。
【００２６】
次に、テップＳ２にて、ユーザ判別モードに入る。ユーザ判別のフローについては、後述の図５のユーザ判別フローにて記載する。
【００２７】
ステップ３にて、ユーザ判断を行い、ステップ４にて、使用ユーザを決定する。使用ユーザにユーザＡが選択された場合、ステップ５に進み、ステップ３で決定された、ユーザＡの評価値の算出を行う。ユーザ評価値算出のフローについても、後述の図６のユーザ評価値算出のフローにて記載する。
【００２８】
次に、ステップ６で、ステップ５で算出された、ユーザＡの評価値を読み出し、ステップ７で、前回までの不図示のＦＬＡＳＨ＿ＲＯＭに記憶された評価値とステップ６で読み出された、ユーザＡの評価値が上がったかどうか判断する。判断結果が、そのままの場合ステップ８に進み、ユーザＡの現状の評価値である、プリントサイズ（例えば、Ｂ５）を設定し、ステップ９にて、表示部１６０にて、ユーザＡに合った最適プリントサイズ（Ｂ５）を表示し終了する。
【００２９】
ステップ７にて、判断結果が、前回評価値より上がった場合、ステップ１０に進み、プリントサイズを変更し新プリントサイズ（例えば、Ａ４）を設定する。そして、ステップ９にて、表示部１６０にて、ユーザＡに合った最適プリントサイズ（Ａ４）を表示し終了する。
【００３０】
次に、学習機能付きプリントサイズアドバイスカメラにおけるユーザ判別動作について図５に示すフローチャートを参考に説明する。
【００３１】
ステップ２０１にて、手ブレ検出動作を開始する。ステップ２０２にて、ＳＷ１が押されたかどうか判断する。押されていない場合は、ステップ２０２を繰り返し、押された場合は、ステップ２０３に進み、ステップ２０３で、ＳＷ１を押した際の手ブレによるカメラ本体のブレパターンを手ブレ検出部１７０よりヨウ・ピッチ双方のブレ信号（図７・図８）を抽出し、不図示のＦＬＡＳＨ＿ＲＯＭに記憶する。
【００３２】
次に、ステップ２０４にて、ＳＷ２が押されたかどうか判断する。押されていない場合は、ステップ２０４を繰り返し、押された場合は、ステップ２０５に進み、ステップ２０５で、ＳＷ２を押した際の手ブレパターンをＳＷ１を押した時の手ブレパターンと同様ヨウ・ピッチ双方のブレパターンを抽出し、不図示のＦＬＡＳＨ＿ＲＯＭに記憶する。
【００３３】
そして、ステップ２０６で、不図示のＦＬＡＳＨ＿ＲＯＭに記憶されたユーザ手ブレパターンと一致するパターンがあるかどうかを判断する。判断方法は、例えば、抽出された、ブレの周期やブレ量を基に、ピッチ側にＳＷ１・２を押す際の傾き等から判断する。そして、例えば、ユーザＡの手ブレパターンと一致するのであれば、ステップ２０８に進み、使用ユーザをユーザＡに決定し終了する。手ブレパターンと一致が無い場合、ステップ２０９へ進み、新規ユーザとして、手ブレパターンを不図示のＦＬＡＳＨ＿ＲＯＭに記憶し終了する。
【００３４】
尚、本実施の形態では、ユーザＡ，ユーザＢ，ユーザＣとしているが、複数人分のユーザを登録できる物である。
【００３５】
次に、学習機能付きプリントサイズアドバイスカメラにおけるユーザ評価値算出動作について図６に示すフローチャートを参考に説明する。
【００３６】
ステップ５０１において、学習を開始する。次に、ステップ５０２にて、ＳＷ１が押されたかどうか判断する。押されていない場合は、ステップ５０２を繰り返し、押された場合は、ステップ５０３に進み、ステップ２０３で、ＳＷ１を押した際の手ブレによるカメラ本体の手ブレ量を手ブレ検出部１７０よりヨウ・ピッチ双方のブレ信号（図９・図１０）を抽出し不図示のＦＬＡＳＨ＿ＲＯＭに記憶する。
【００３７】
次に、ステップ５０４にて、ＳＷ２が押されたかどうか判断する。押されていない場合は、ステップ５０４を繰り返し、押された場合は、ステップ５０５に進み、ステップ５０５で、ＳＷ２を押した際の手ブレ量をＳＷ１を押した時の手ブレによるカメラ本体の手ブレ量を手ブレ検出部１７０よりヨウ・ピッチ双方のブレ信号（図９・図１０）を抽出し不図示のＦＬＡＳＨ＿ＲＯＭに記憶する。そして、ステップ５０６で、不図示のＦＬＡＳＨ＿ＲＯＭに記憶された使用ユーザの前回抽出した手ブレ量と今回抽出した手ブレ量より、所定の閾値を用いて、ユーザの撮影技量評価を行い、ユーザ評価値に応じた最適プリントサイズを決定し終了する。
【００３８】
本実施の形態では、ユーザ評価に前回ブレ量データと今回のブレ量データを所定の閾値より評価値を算出しているが、前回・今回のブレ量に総撮影回数を加味して算出しても良い。また、ｎ回の撮影枚数に対する手ブレ量平均値よりユーザ評価値を算出しても良い。また、手ブレ量に重み付けや撮影枚数に重み付けして評価値を算出しても良い。
【００３９】
次に、学習機能付きプリントサイズアドバイスカメラにおける記録画像サイズ可変動作について図１１に示すフローチャートを参考に説明する。
【００４０】
ステップＳ２１において、撮影動作に入り、レリーズスイッチ３のＳＷ１・ＳＷ２にて撮影動作を行う。撮影動作中に、ユーザ判別に用いる手ブレによるカメラ本体のブレパターン及びユーザ評価のブレ量を取得する。次に、テップＳ２２にて、ユーザ判別モードに入る。ステップ２３にて、ユーザ判断を行い、ステップ２４にて、使用ユーザを決定する。使用ユーザにユーザＡが選択された場合、ステップ２５に進み、ステップ２３で決定された、ユーザＡの評価値の算出を行う。
【００４１】
次に、ステップ２６で、ステップ２５で算出された、ユーザＡの評価値を読み出し、ステップ２７で、前回までの不図示のＦＬＡＳＨ＿ＲＯＭに記憶された評価値とステップ２６で読み出された、ユーザＡの評価値が上がったかどうか判断する。判断結果が、そのままの場合ステップ２８に進み、ユーザＡの現状の評価値である、記録画像サイズ（例えば、６４０×４８０）を設定し、ステップ３０にて、次回撮影時も、現状の記録画像サイズ（６４０×４８０）で撮影する。ステップ２７にて、判断結果が、前回評価値より上がった場合、ステップ２９にて、記録画像サイズを（例えば、１０２４×７６８）に変更設定し、ステップ３０にて、使用ユーザＡに合った最適記録画像サイズ（１０２４×７６８）にて、次回撮影を行う。
【００４２】
次に、学習機能付きプリントサイズアドバイスカメラにおける記録メディア書き込み振り分け動作について図１２に示すフローチャートを参考に説明する。
【００４３】
ステップ１００１にて、手ブレ検出動作を開始する。ステップ１００２にて、ＳＷ１が押されたかどうか判断する。押されていない場合は、ステップ１００２を繰り返し、押された場合は、ステップ１００３に進み、ステップ１００３で、ＳＷ１を押した際の手ブレによるカメラ本体のブレパターンを手ブレ検出部１７０よりヨウ・ピッチ双方のブレ信号（図７・図８）を抽出し、不図示のＦＬＡＳＨ＿ＲＯＭに記憶する。
【００４４】
次に、ステップ１００４にて、ＳＷ２が押されたかどうか判断する。押されていない場合は、ステップ１００４を繰り返し、押された場合は、ステップ１００５に進み、ステップ１００５で、ＳＷ２を押した際の手ブレパターンをＳＷ１を押した時の手ブレパターンと同様ヨウ・ピッチ双方のブレパターンを抽出し、不図示のＦＬＡＳＨ＿ＲＯＭに記憶する。
【００４５】
そして、ステップ１００６で、不図示のＦＬＡＳＨ＿ＲＯＭに記憶されたユーザ手ブレパターンと一致するパターンがあるかどうかを判断する。判断方法は、例えば、抽出された、ブレの周期やブレ量を基に、ピッチ側にＳＷ１・２を押す際の傾き等から判断する。
【００４６】
そして、例えば、ユーザＢの手ブレパターンと一致するのであれば、ステップ１００８に進み、使用ユーザをユーザＡに決定し記録メディア上にユーザＢ用のフォルダに書き込む。手ブレパターンと一致が無い場合、ステップ１００９へ進み、新規ユーザとして、手ブレパターンを不図示のＦＬＡＳＨ＿ＲＯＭに記憶し使用ユーザを新規に決定し、記録メディア上に新規ユーザフォルダを作り書き込み終了する。
【図面の簡単な説明】
【００４７】
【図１】本発明の第一の実施形態に係る学習機能付きプリントサイズアドバイスカメラの構成概要図
【図２】学習機能付きプリントサイズアドバイスカメラの制御部のブロック図
【図３】学習機能付きプリントサイズアドバイスカメラの手ブレ量と手ブレパターン検出を兼ねた手ブレ検出部及びユーザ判断部のブロック図
【図４】学習機能付きプリントサイズアドバイスカメラの動作フローチャート
【図５】学習機能付きプリントサイズアドバイスカメラのユーザ判別動作フローチャート
【図６】学習機能付きプリントサイズアドバイスカメラのユーザ評価値算出動作フローチャート
【図７】学習機能付きプリントサイズアドバイスカメラの手ブレ検出部ヨウ側より得られた手ブレパターンデータを示す図
【図８】学習機能付きプリントサイズアドバイスカメラの手ブレ検出部ピッチ側より得られた手ブレパターンデータを示す図
【図９】学習機能付きプリントサイズアドバイスカメラの手ブレ検出部ヨウ側より得られた手ブレ量データを示す図
【図１０】学習機能付きプリントサイズアドバイスカメラの手ブレ検出部ピッチ側より得られた手ブレ量データを示す図
【図１１】学習機能付きプリントサイズアドバイスカメラの記録画像サイズ可変動作フローチャート
【図１２】学習機能付きプリントサイズアドバイスカメラの記録メディアへの書き込み振り分け変動作フローチャート
【符号の説明】
【００４８】
１          デジタルカメラ本体
２          モード切替え兼用電源ＳＷ
３          レリーズＳＷ
４          表示パネル
５          メニュー選択ＫＥＹ
６          十字操作ＫＥＹ
１１０      電源供給部
１２０      ＣＰＵ
１３０      撮像部
１４０      画像処理部
１５０      記憶部
１６０      表示部
１７０      手ぶれ検出部
１８０      操作部
１７００    加速度センサ
１７０１    フィルタ回路
１７０２    アンプ回路
１７０３    Ａ／Ｄ回路
【図１】
2006319611.tif 000003
【図２】
2006319611.tif 000004
【図３】
2006319611.tif 000005
【図４】
2006319611.tif 000006
【図５】
2006319611.tif 000007
【図６】
2006319611.tif 000008
【図７】
2006319611.tif 000009
【図８】
2006319611.tif 000010
【図９】
2006319611.tif 000011
【図１０】
2006319611.tif 000012
【図１１】
2006319611.tif 000013
【図１２】
2006319611.tif 000014